(57)【要約】【課題】  再利用が可能であり、しかも物品収容用凹部内に電子部品などの物品を容易且つ安定的に収容することができるようにする。【解決手段】  長さ方向に一定間隔をあけて多数の物品収納用凹部２が形成されたテープ本体３と、テープ本体３の両側縁部または片側縁部３ａに延長状に且つ折り畳み自在に設けられたフラップ４とを有するエンボスキャリアテープ１であって、フラップ４は物品収容用凹部２における開口部の全部または一部を閉止して物品収容用凹部２内に物品Ｐを保持し得る幅となされ、且つフラップ４には物品収容用凹部２内へ突出して物品を固定する凸部５が形成されており、またフラップには物品収容用凹部と反対方向へ突出した物品収容用逆凹部が形成されている。【選択図】  図１
2010189042.tif 000002
【特許請求の範囲】
【請求項１】
長さ方向に一定間隔をあけて多数の物品収納用凹部が形成されたテープ本体と、テープ本体の両側縁部または片側縁部に延長状に且つ折り畳み自在に設けられたフラップとを有し、フラップは物品収容用凹部における開口部の全部または一部を閉止して物品収容用凹部内に物品を保持し得る幅となされ、且つフラップには物品収容用凹部内へ突出して物品を固定する凸部が形成されている、エンボスキャリアテープ。
【請求項２】
長さ方向に一定間隔をあけて多数の物品収納用凹部が形成されたテープ本体と、テープ本体の両側縁部または片側縁部に延長状に且つ折り畳み自在に設けられたフラップとを有し、フラップは物品収容用凹部における開口部の全部または一部を閉止して物品収容用凹部内に物品を保持し得る幅となされ、且つフラップには物品収容用凹部と反対方向へ突出した物品収容用逆凹部が形成されている、エンボスキャリアテープ。
【発明の詳細な説明】
【技術分野】
【０００１】
本発明は、電子部品、精密機械部品および複合部品などの各種物品を多数収容するエンボスキャリアテープに関する。
【背景技術】
【０００２】
エンボスキャリアテープは、長さ方向に一定間隔をあけて多数の物品収納用凹部が形成されたテープ本体と、テープ本体の上面側に接着されて、前記物品収納用凹部を閉止するカバーテープとで構成されている。そして、かかるエンボスキャリアテープは、そのテープ本体における各凹部に電子部品等の物品を入れた後、テープ本体の上面にカバーテープを接着剤で接合することにより物品の装填を行うものである。また、物品の装填後においては、当該キャリアテープを所定長ずつリールに巻き取って、該リールごと物品供給場所へ搬送するのである。
【特許文献１】特開２００３−２６１１７３号公報
【特許文献２】特開２００５−２１２８１０号公報
【特許文献３】特願２００９−１６０９３号
【発明の開示】
【発明が解決しようとする課題】
【０００３】
前述した構造のエンボスキャリアテープの場合、物品の使用場所において、前記リールから順次繰り出された当該テープについて、そのカバーテープを機械的に剥離させて収容用凹部内の物品を順次取り出してゆくのであるが、その取り出し後のテープ本体の上面には前記カバーテープを接合していた接着剤の一部が残存していることから、使用後のテープ本体の収容凹部に再び物品を充填して新たなカバーテープを再度接着剤で接合させようとしても不完全な接合となってしまい、そのため前記物品取り出し後においては、カバーテープは勿論、テープ本体についてもすべて廃棄していた。
【０００４】
しかし近年、原油価格の上昇に伴ってプラスチック材料価格が高騰する一方、資源の有効利用や地球温暖化防止が一層重要視されているなかで、前記使用後のテープ本体やカバーテープを使い捨てにして大量の産業廃棄物を発生させることは好ましくない。
【０００５】
そこで、本願の出願人は、長さ方向に一定間隔をあけて多数の物品収納用凹部が形成されたテープ本体と、テープ本体の両側縁部または片側縁部に延長状に且つ折り畳み自在に設けられたフラップとを有するエンボスキャリアテープを提案している。このテープによれば、前記カバーテープを用いることなく、前記フラップの開閉によって凹部内への収納物品の出し入れが行えるため、当該テープ自体の再利用が可能となるが、ＩＣチップ等の薄い物品を収納する場合には該物品が凹部内で若干移動したり、回ったりする場合があった。
【０００６】
本発明の目的は、前述した問題を一挙に解決することができるエンボスキャリアテープを提供することにある。
【課題を解決するための手段】
【０００７】
請求項１記載の本発明は、長さ方向に一定間隔をあけて多数の物品収納用凹部が形成されたテープ本体と、テープ本体の両側縁部または片側縁部に延長状に且つ折り畳み自在に設けられたフラップとを有し、フラップは物品収容用凹部における開口部の全部または一部を閉止して物品収容用凹部内に物品を保持し得る幅となされ、且つフラップには物品収容用凹部内へ突出して物品を固定する凸部が形成されている、エンボスキャリアテープである。
【０００８】
請求項２記載の本発明は、長さ方向に一定間隔をあけて多数の物品収納用凹部が形成されたテープ本体と、テープ本体の両側縁部または片側縁部に延長状に且つ折り畳み自在に設けられたフラップとを有し、フラップは物品収容用凹部における開口部の全部または一部を閉止して物品収容用凹部内に物品を保持し得る幅となされ、且つフラップには物品収容用凹部と反対方向へ突出した物品収容用逆凹部が形成されている、エンボスキャリアテープである。なお、本発明において、フラップを折り畳み自在とする手段としては、例えばフラップとテープ本体の境界部分に溝を設けることが考えられるが、本発明はこれに限定されず、透孔をミシン目状に設けるなど、別の構成であっても良い。またこの点は、前記請求項１記載のエンボスキャリアテープについても同様である。
【発明の効果】
【０００９】
請求項１記載のエンボスキャリアテープによれば、テープ本体の両側縁部または片側縁部に設けられたフラップを物品収容用凹部の開口部へ折り曲げることによって、前記凹部内に物品を保持することができる一方、前記フラップを反対側へ戻すことで凹部の開口部が開放されて凹部内の物品を取り出すことができる。そして、物品の取り出し後において、凹部内に再び新たな物品を収納した後、フラップを再び凹部の開口部へ折り曲げることによって、新たな物品が凹部内に保持されるため、当該テープの再利用が可能となる。そして、更に本発明では、フラップの凹部内へ突出して物品を固定する凸部が形成されているため、薄い厚みの物品であっても凹部内に安定に保持されるという格別の効果を有する。
【００１０】
また、前述した通り、凹部内に収容された物品はフラップの凸部で押さえられて固定される構造であるため、従来のように。凹部内で物品が動くのを防止するために、物品と凹部とのクリアランスを狭くする必要はなく、該クリアランスを広くとることができることから、各凹部への物品の収容が容易且つ効率的に行えるという利点も得られる。
【００１１】
請求項２記載のエンボスキャリアテープによれば、前記請求項１記載のエンボスキャリアテープと同様、テープ本体の両側縁部または片側縁部にフラップが設けられているため、当該テープの再利用が行えることは勿論、フラップに凹部と反対方向へ突出した逆凹部が形成されているため、凹部とこれに対向する逆凹部とによって高さのある収納空間が形成されることとなり、そのため従来のエンボスキャリアテープでは収納できなかったような高さのある物品でも収納できるという利点がある。
【発明を実施するための最良の形態】
【００１２】
次に、本発明の実施形態を図面にしたがって説明するが、本発明はかかる実施形態に限定されるものではない。
【００１３】
（実施形態１）
【００１４】
図１〜図５に本実施形態を示すが、本実施形態において、上下および左右は、図３を基準とし、上とは図３の上側を指し、下とは同図の下側を指すものとする。また左とは図３における左側を指し、右とは同図の右側を指すものとする。
【００１５】
エンボスキャリアテープ１は、長さ方向に一定間隔をあけて多数の物品収納用凹部２が形成されたテープ本体３と、テープ本体３の右側縁部３ａに延長状に且つ折り畳み自在に設けられたフラップ４とを有し、フラップ４は物品収容用凹部２における開口部２ａの全部を閉止して物品収容用凹部２内に物品Ｐを保持し得る幅となされ、且つフラップ４には物品収容用凹部２内へ突出して物品Ｐを固定する凸部５が形成されている。
【００１６】
本実施形態では、フラップ４はテープ本体３の右側縁部３ａから左側縁部３ｂ寄り部分まで設けられており、フラップ４の凸部５は、図１および図２に示すように、物品収容用凹部２に対応して一定間隔で設けられ、本実施形態では、平面から見て円形で、断面が下向き円弧状となされている。そして、図３に示すように、フラップ４の凸部５は物品収容用凹部２内の物品Ｐを上方から押さえることで該物品Ｐを凹部２内に安定的に保持するのである。
【００１７】
また、図４に示すように、テープ本体３とフラップ４の境界部分３ａにはテープ本体３の長さ方向に伸びる小溝１０が形成されており、小溝１０はフラップ４を折り畳み可能とするものである。
【００１８】
なお、図中６は、当該エンボスキャリアテープ１を送るためのピンローラ（図示せず）におけるピン（いずれも図示せず）が嵌まる係合孔を示す。
【００１９】
図５は本実施形態の変形例を示す。すなわち、エンボスキャリアテープ２１の基本的な構造は前記実施形態と同様であり、そのため同じ構成部分については、同一の符号を付すことによって説明を省略するが、このエンボスキャリアテープ２１では、フラップ４に形成された凸部２５が前記凸部５よりも細長く尖った形状となされている。
【００２０】
そして、物品収容用凹部２内に収容する物品Ｐ２の上面に凹形の窪み２７がある場合において、前記フラップ４の凸部２５が前記窪み２７と嵌合することにより物品Ｐ２が凹部２内で回転することなく、確実に保持される。
【００２１】
（実施形態２）
【００２２】
図６〜図８に示すように、エンボスキャリアテープ３１は、長さ方向に一定間隔をあけて多数の物品収納用凹部３２が形成されたテープ本体３３と、テープ本体３３の両側縁部３３ａに延長状に且つ折り畳み自在に設けられたフラップ３４とを有し、両側のフラップ３４はそれぞれ物品収容用凹部３２における開口部３２ａの中央寄り部分まで伸びて、物品収容用凹部３２内に物品Ｐを保持し得る幅となされ、且つ両フラップ３４には物品収容用凹部３２内へ突出して物品Ｐを固定する凸部３５が形成されている。
【００２３】
フラップ３４の凸部３５は、前記実施形態１と同様、物品収容用凹部３２に対応して一定間隔で設けられ、平面から見て円形で、断面が下向き円弧状となされている。そして、図８に示すように、両側フラップ３４の凸部３５は物品収容用凹部３２内の物品Ｐの上面両側寄り部分を上方から押さえることで該物品Ｐを凹部３２内に安定的に保持するのである。またフラップ３４も実施形態１における図４に示したフラップ４と同様、小溝１０によって折り畳み自在となされている。
【００２４】
なお、図中３６は、当該エンボスキャリアテープ３１を送るためのピンローラ（図示せず）におけるピン（いずれも図示せず）が嵌まる係合孔を示す。
【００２５】
（実施形態３）
【００２６】
図９および図１０に本実施形態を示すが、本実施形態において、上下および左右は、図１０を基準とし、上とは図１０の上側を指し、下とは同図の下側を指すものとする。また左とは図１０における左側を指し、右とは同図の右側を指すものとする。
【００２７】
エンボスキャリアテープ４１は、長さ方向に一定間隔をあけて多数の物品収納用凹部４２が形成されたテープ本体４３と、テープ本体４３の右側縁部４３ａに延長状に且つ折り畳み自在に設けられたフラップ４４とを有し、フラップ４４は物品収容用凹部４２における開口部４２ａの全部を閉止して物品収容用凹部４２内に物品Ｐ３を保持し得る幅となされ、且つフラップ４４には物品収容用凹部４２と反対方向へ突出した物品収容用逆凹部４５が形成されている。
【００２８】
本実施形態では、フラップ４４はテープ本体４３の右側縁部４３ａから左側縁部４３ｂ寄り部分まで設けられており、フラップ４４の逆凹部４５は、図９および図１０に示すように、物品収容用凹部４２に対応して一定間隔で設けられ、本実施形態では、平面および周側面から見て方形で、断面がコ字形となされている。そして、図１０に示すように、フラップ４４の逆凹部４５は物品収容用凹部４２と対向して上下方向に高さのある空間を形成することとなるため、物品Ｐ３が嵩高い形状であっても当該物品Ｐを容易に収容することができる。
【００２９】
（実施形態４）
【００３０】
図１１および図１２に本実施形態を示すが、本実施形態の基本的な構成は、前記実施形態１と同様であるので、同一の構成部分については、実施形態１と同様の符号を付すことによってそれらの説明を省略する。
【００３１】
エンボスキャリアテープ５１は、前述したように、実施形態１と同様の基本構成を有するものであるが、テープ本体３の左側縁部３ｂ寄り部分には実施形態１における係合孔はなく、断面山形のボス部５６が形成されている点で異なっている。
【００３２】
本実施形態のエンボスキャリアテープ５１の場合、図１２に示すように、一定間隔で設けられたボス部５６に、回転するピンローラ５７のピン５８が順次嵌まることで当該テープ５１が一定方向に送られるようになされている。
【００３３】
なお、前述したいずれの実施形態のエンボスキャリアテープでも、その送り用の係合孔やボス部が設けられていたが、これらを設けない場合もある。
【産業上の利用可能性】
【００３４】
本発明に係るエンボスキャリアテープは、再利用が可能であるため、使い捨てであった従来のエンボスキャリアテープのように、一回の使用だけで産業廃棄物として処分されることがなく、また資源の有効利用も図れることから、幅広い利用が期待できる。
【図面の簡単な説明】
【００３５】
【図１】実施形態１に係るエンボスキャリアテープの斜視図である。
【図２】同実施形態に係るエンボスキャリアテープの平面図である。
【図３】同実施形態に係るエンボスキャリアテープの横断面図である。
【図４】同実施形態におけるフラップの折り曲げ構造を示す部分拡大横断面である。
【図５】同実施形態に係るエンボスキャリアテープの変形例を示す横断面図である。
【図６】実施形態２に係るエンボスキャリアテープの斜視図である。
【図７】同実施形態に係るエンボスキャリアテープの平面図である。
【図８】同実施形態に係るエンボスキャリアテープの横断面図である。
【図９】実施形態３に係るエンボスキャリアテープの斜視図である。
【図１０】同実施形態に係るエンボスキャリアテープの横断面図である。
【図１１】実施形態４に係るエンボスキャリアテープの斜視図である。
【図１２】同実施形態に係るエンボスキャリアテープの縦断面図である。
【符号の説明】
【００３６】
１  エンボスキャリアテープ
２  物品収容用凹部
３  テープ本体
４  フラップ
５  凸部
４５  物品収容用逆凹部
【図１】
2010189042.tif 000003
【図２】
2010189042.tif 000004
【図３】
2010189042.tif 000005
【図４】
2010189042.tif 000006
【図５】
2010189042.tif 000007
【図６】
2010189042.tif 000008
【図７】
2010189042.tif 000009
【図８】
2010189042.tif 000010
【図９】
2010189042.tif 000011
【図１０】
2010189042.tif 000012
【図１１】
2010189042.tif 000013
【図１２】
2010189042.tif 000014